(57)【特許請求の範囲】
【請求項１】
支持脚で支持された収容棚を有し、その収容棚の両側部に取付部を備え、リング状支持部を前記取付部に着脱可能に構成するとともに、リング状支持部を両取付部のうちいずれか一方に取付けた浴室用ラックにおいて、
前記リング状支持部には嵌合凸部を設け、取付部にはリング状支持部の嵌合凸部に対応して嵌合凹部を設けてリング状支持部を取付部に嵌合し、嵌合関係により着脱可能に構成し、前記取付部の嵌合凹部には係合凸条を設けるとともに同係合凸条と対向するように突設部を設け、リング状支持部の嵌合凸部には前記係合凸条に対応する係合凹条を設けるとともに前記突設部に対応する一対の長リブを設け、係合凸条と係合凹条の係合関係に加え突設部の内側壁と長リブの端部とが当接することによりリング状支持部を取付部に位置決めした浴室用ラック。
【請求項２】
前記突設部の内側壁には凸条を設け、同凸条が一対の長リブ間に係合される請求項１に記載の浴室用ラック。
【発明の詳細な説明】
【０００１】
【発明の属する技術分野】
この発明は、浴室においてシャンプー、リンス等を収容したり、タオル等をかけたりするための浴室用ラックに関するものである。
【０００２】
【従来の技術】
従来、この種の浴室用ラックにおいては、上面が開口された箱状をなす複数の収容棚が上下に所定間隔をおいて二対の支持脚によって連結されている。各収容棚のうち、下段収容棚の底壁外側面には４つの脚部が設けられている。この浴室用ラックは各収容棚内にシャンプー、石鹸等が収容された状態で、浴室内の所定箇所に安定した状態で配置されている。
【０００３】
このような浴室用ラックにおいて、上段収容棚の一側部に金属製のリングが取着されているものがある。このリングは円環状に形成され、取付具を介して上段収容棚に固定されている。そして、そのリングにタオル等を掛けることによって、浴室用ラックはさらに使い勝手のよいものとなっている。
【０００４】
【発明が解決しようとする課題】
ところが、従来のリングを有する浴室用ラックにおいては、リングが上段収容棚の一側部に固定されていることから、付け替えができない。このため、浴室が狭く、浴室の角等に配置する場合、壁と浴室用ラックとの間にリングが挟まれて使用できなかったり、浴室内の構造上一方の向きには配置できなかったりする等という問題があった。
【０００５】
この発明は、このような従来の技術に存在する問題点に着目してなされたものである。その目的とするところは、タオル等を支持することができるリング状支持部を浴室内の構造に応じて使用者が所望の箇所に付け替えることができる浴室用ラックを提供することにある。
【０００６】
【課題を解決するための手段】
上記の目的を達成するために、請求項１に記載の浴室用ラックの発明は、支持脚で支持された収容棚を有し、その収容棚の両側部に取付部を備え、リング状支持部を前記取付部に着脱可能に構成するとともに、リング状支持部を両取付部のうちいずれか一方に取付けた浴室用ラックにおいて、前記リング状支持部には嵌合凸部を設け、取付部にはリング状支持部の嵌合凸部に対応して嵌合凹部を設けてリング状支持部を取付部に嵌合し、嵌合関係により着脱可能に構成し、前記取付部の嵌合凹部には係合凸条を設けるとともに同係合凸条と対向するように突設部を設け、リング状支持部の嵌合凸部には前記係合凸条に対応する係合凹条を設けるとともに前記突設部に対応する一対の長リブを設け、係合凸条と係合凹条の係合関係に加え突設部の内側壁と長リブの端部とが当接することによりリング状支持部を取付部に位置決めしたものである。
【０００７】
請求項２に記載の浴室用ラックの発明は、請求項１に記載の発明において、前記突設部の内側壁には凸条を設け、同凸条が一対の長リブ間に係合されるものである。
【０００９】
【発明の実施の形態】
以下、この発明の実施形態を、図面に基づいて詳細に説明する。
図１及び図５に示すように、下段収容棚１１は合成樹脂により有底長四角箱状に形成され、その四隅に設けられた円柱状をなす４つの脚部１２により支持されている。これら各脚部１２の底面には、高さ調節手段１３が設けられている。この高さ調節手段１３は合成ゴム等よりなり、円板状の滑り止め部１３ａと滑り止め部の中心から延びる雄ねじ部１３ｂとから構成され、この雄ねじ部１３ｂが各脚部１２の底面に設けられた雌ねじ孔に螺合されている。そして、これら高さ調節手段１３の雄ねじ部１３ｂを各脚部１２に対して螺入又は螺退させ、高さを調節することによって浴室用ラックを安定した状態で設置することができるようになっている。
【００１０】
下段収容棚１１の内部にはタンク状のシャンプー、洗剤等のような比較的大きなものが収容されるとともに、底壁及び側壁には幅方向に延びる複数のスリット１１ａが透設され、下段収容棚１１内に溜まる水等が排出されるようになっている。周面補強フランジ１１ｂは、下段収容棚１１の上端縁に形成され、捩れ等による下段収容棚１１の変形を防止するようになっている。
【００１１】
一対の下段連結筒１４は楕円形筒状をなし、下段収容棚１１の両側部に垂設されている。一対の下部支持脚１５は合成樹脂により楕円形筒状に形成され、下端部が縮径されている。そして、下部支持脚１５の下端部は、下段連結筒１４の上方からその内側に嵌合されている。
【００１２】
図１及び図４に示すように、中段収容棚１６は合成樹脂により有底長四角箱状に形成され、その短辺側両側部外面には、楕円形筒状をなす一対の中段連結筒１７が垂設されている。この中段連結筒１７の下端部は縮径されるとともに、下部支持脚１５の上方からその内側に嵌合されることによって、下段収容棚１１と中段収容棚１６とが連結されている。
【００１３】
中段収容棚１６の内部は３分の２がＶ字状をなす第１保持部１８として構成されるとともに、３分の１がチャンネル状をなす第２保持部１９として構成されている。そして、第１保持部１８にはシャンプー、リンス等が斜め上方を向くように保持されるとともに、第２保持部１９には体を洗うためのブラシ、スポンジ等が収容されるようになっている。これら第１及び第２保持部１８，１９の底壁には幅方向に延びる複数のスリット１６ａが透設され、両保持部１８，１９内に溜まる水等が排出されるようになっている。周面補強フランジ１６ｂは、中段収容棚１６の上端縁に形成され、捩れ等による中段収容棚１６の変形を防止するようになっている。
【００１４】
一対の上部支持脚２０は、下部支持脚１５よりも短くなるように合成樹脂により楕円形筒状に形成され、その下端部が縮径されている。そして、上部支持脚２０の下端部は中段連結筒１７の上方からその内側に嵌合されている。
【００１５】
図１及び図２に示すように、上段収容棚２１はその内部に収容空間としての第１収容部２２と第２収容部２３とを有するように、合成樹脂により有底長四角箱状に形成されている。一対の上段連結筒２４は楕円形筒状に形成され、その下端部が縮径されるとともに、上段収容棚２１の短辺側両側部外面に垂設されている。そして、上段連結筒２４の下端部が上部支持脚２０の上方からその内側に嵌合されることによって、中段収容棚１６と上段収容棚２１とが連結されている。
【００１６】
第１収容部２２は円状をなす６つの凹設部２２ａからなり、各凹設部２２ａは幅方向に一対、長さ方向に三対並列にとなるように配置されている。この第１収容部２２は各凹設部が連通され、ボトル状の洗顔液等を各凹設部２２ａ毎に収容したり、各凹設部２２ａを跨いだ状態で収容したりするようになっている。また、各凹設部２２ａの底壁には挿通孔２２ｂが設けられており、第１収容部２２内に溜まる水等が排出されるようになっている。
【００１７】
第２収容部２３は、その底壁が第１収容部２２の底壁よりも上方に位置する、つまり底が浅くなるように四角箱状に形成され、石鹸等の小さなものが収容されるようになっている。第２収容部２３の底壁には、幅方向に延びる複数のスリット２３ａが透設され、第２収容部２３内に溜まる水等が排出されるようになっている。
【００１８】
周面補強フランジ２１ａは、上段収容棚２１の上端縁に形成され、捩れ等による上段収容棚２１の変形を防止するようになっている。固定板２５は、上段収容棚２１の背面側における周面補強フランジ２１ａ上に扇状をなすように突出形成されている。固定手段としての吸盤２６は、図３に２点鎖線で示すように、固定板２５の背面に取付けられ、浴室の壁に貼着されることによって浴室用ラックを浴室の所定位置に固定するようになっている。
【００１９】
図１に示すように、上段収容棚２１の両側部に位置する一対の上段連結筒２４上面は取付部２７とされ、リング状支持部２８は、いずれか一方の取付部２７、つまり図中において右側の取付部２７に着脱可能に取付けられている。
【００２０】
図６〜図８に示すように、リング状支持部２８は長円状をなす枠体として形成され、例えばタオルを掛けたり、柄とブラシ部分とよりなるボディーブラシをブラシ部分を上にして掛けたりすることができるようになっている。嵌合凸部２９は有蓋半円筒状をなし、リング状支持部２８の一側面から膨出するように形成されている。嵌合凸部２９の内側には、曲面状の内側壁から中心方向に向かって延びる一対の長リブ３０と、平面状の内側壁から中心方向に向かって延びる一対の短リブ３１とが設けられている。また、嵌合凸部２９の外周壁頂上部には、高さ方向に向かって延びる係合凹条としての凹条３２が形成されている。
【００２１】
図９及び図１０に示すように、嵌合凹部３３は、嵌合凸部２９と対応する形状となるように側方及び上方が開口された状態で取付部２７に凹設されている。そして、嵌合凸部２９を取付部２７の嵌合凹部３３に嵌合することによって、取付部２７にリング状支持部２８が取付けられている。
【００２２】
係合凸条としての突条３４は、嵌合凹部３３の内側壁中央に高さ方向に延びるように突設され、嵌合凸部２９を嵌合凹部３３に嵌合したとき、凹条３２に突条３４が係合されるようになっている。そして、嵌合凸部２９の回動が規制され、リング状支持部２８は取付部２７に対して位置決めされるようになっている。
【００２３】
移動規制部としての突設部３５は、前記突条３４と対向するように嵌合凹部３３の内底壁から突出形成されるとともに、その内側壁に凸部としての凸条３５ａが設けられている。そして、嵌合凸部２９を嵌合凹部３３に嵌合したとき、突設部３５は嵌合凸部２９内において長リブ３０と短リブ３１との間に位置するようになっている。この状態でリング状支持部２８が取付部２７に対して移動し、その側方から抜け出そうとするとき、突設部３５の内側壁と当接部となる長リブ３０の端部とが当接することによって、リング状支持部２８の移動が規制されている。加えて、突設部３５の凸条３５ａは一対の長リブ３０間に係合されており、凹条３２及び突条３４の係合とともにリング状支持部２８の位置決めを確実なものとしている。
【００２４】
図１に示すように、前記４つの脚部１２、一対の下部支持脚１５、一対の上部支持脚２０等により、浴室用ラックの支持脚が構成されている。そして、浴室用ラックは下段収容棚１１、中段収容棚及び上段収容棚２１を支持脚によって支持し、上段収容棚２１の右側の取付部２７にリング状支持部２８を取付けることにより構成されている。
【００２５】
前記のように構成された浴室用ラックの作用について以下に記載する。
さて、実施形態の浴室用ラックは上段、中段及び下段収容棚１１，１６，２１が上部及び下部支持脚１５，２０によって連結された状態で、浴室の角においてその左側が壁に当たるようにして配置される。浴室用ラックが配置されるときには床の凹凸に合わせて、各脚部１２の高さ調節手段１３が螺入又は螺退され、浴室用ラックは安定した状態で設置される。
【００２６】
次いで、上段収容棚２１の右側の取付部２７にリング状支持部２８が取付けられる。そして、固定板２５背面に設けられた吸盤２６が浴室の壁等に貼着され、浴室用ラックは浴室内の所定箇所に固定される。
【００２７】
図９及び図１０に示すように、リング状支持部２８の取付部２７への取付けは、嵌合凸部２９を嵌合凹部３３に嵌合することによって行われる。このとき、リング状支持部２８は嵌合凸部２９の凹条３２と嵌合凹部３３の突条３４とが互いに係合されることでその回動が規制され、取付部２７に対して位置決めされる。また、突条３４と凹条３２の係合に加えて突設部３５の凸条３５ａが一対の長リブ３０間に係合されることから、２箇所での係合によりリング状支持部２８の位置決めが確実になされる。
【００２８】
前記の実施形態によって発揮される効果について、以下に記載する。
・  実施形態の浴室用ラックによれば、上段収容部２１の両側に位置する一対の上段連結筒２４の上面を取付部２７とし、これらのうちいずれか一方にリング状支持部２８が着脱可能に取付けられるようになっている。このため、浴室用ラックを浴室内に配置する際、タオル等を支持することができるリング状支持部２８を浴室内の構造に応じて使用者が所望の箇所に付け替えることができる。
【００２９】
・  実施形態の浴室用ラックによれば、リング状支持部２８の一側部に嵌合凸部２９を一体的に設けるとともに、取付部２７である上段連結筒２４の上面には、この嵌合凸部２９の形状と対応した形状の嵌合凹部３３が設けられている。このため、嵌合凹部３３と嵌合凸部２９の嵌合関係により、ドライバー等の道具を用いることなく浴室用ラックにリング状支持部２８を容易に取付けることができる。
【００３０】
・  実施形態の浴室用ラックによれば、嵌合凸部２９には凹条３２が設けられ、嵌合凹部３３には突条３４が設けられていることから、凹条３２と突条３４の係合関係によってリング状支持部２８を取付部２７に対して確実に位置決めすることができる。
【００３１】
・  実施形態の浴室用ラックによれば、突設部３５を嵌合凹部３３の内側壁に突設するとともに、この突設部３５はリング状支持部２８を取付部２７に取付けたとき、嵌合凸部２９内の長リブ３０と短リブ３１との間に位置するようになっている。そして、取付部２７に対しリング状支持部２８が移動し、抜け出そうとするとき、長リブ３０が突設部３５に当接することによりリング状支持部２８の移動を確実に規制することができる。
【００３２】
・  実施形態の浴室用ラックによれば、突設部３５の内側壁に凸条３５ａを設けるとともに、凸条３５ａが一対の長リブ３０間に係合されるようになっている。このため、突条３４と凹条３２との係合関係及び凸条３５ａと一対の長リブ３０との係合関係の２箇所でリング状支持部２８の取付部２７に対する位置決めを行うことができ、リング状支持部２８を取付部２７に対してさらに確実に位置決めすることができる。
【００３３】
・  実施形態の浴室用ラックによれば、上段収容棚２１に設けられた固定板２５の背面には吸盤２６が取付けられ、この吸盤２６は浴室用ラックを設置するとき浴室の壁等に貼着されるようになっている。このため、浴室内の所定箇所に浴室用ラックを確実に固定することができる。
【００３４】
・  実施形態の浴室用ラックによれば、上段、中段及び下段収容棚１１，１６，２１の３つの収容棚を備えるとともに、各収容棚１１，１６，２１の内部形状は収容物に合わせて異なるように形成されている。そして、大量の収容物を一箇所に効率よく収納することができるため、浴室を広く使用することができるとともに、各収容棚１１，１６，２１内に収容された収容物の判別を行いやすく、収容物の使用、取り出し等を容易に行うことができる。
【００３５】
・  実施形態の浴室用ラックによれば、嵌合凸部２９とリング状支持部２８とが嵌合構造をとり、しかもリング状支持部２８が幅広の板材で構成されていることから、リング状支持部２８の強度を向上させることができ、水を吸ったタオル等重い物を支持するときにもリング状支持部２８の変形を防止することができる。
【００３６】
なお、本実施形態は、次のように変更して具体化することも可能である。
・  本実施形態の浴室用ラックにおいて、リング状支持部２８側に嵌合凹部３３を設けるとともに、取付部２７側に嵌合凸部２９を設けること。例えば、取付部２７となる上段連結筒２４の上端を円筒状をなすように周面補強フランジ２１ａから突出して形成し、嵌合凸部２９を形成すること。また、リング状支持部２８の一側部には有蓋円筒状をなす連結体を設け、この連結体内側を嵌合凹部３３とすること。そして、嵌合凹部３３を嵌合凸部２９に嵌合することによってリング状支持部２８を取付部２７に着脱可能に取付けること。
【００３７】
さらに、上記構成においてはリング状支持部２８の嵌合凹部３３内に移動規制部を設けることが好ましい。すなわち、嵌合凹部３３内に突設部３５を突設するとともに、リング状支持部２８が移動して抜け出そうとするとき、突設部３５が嵌合凸部２９内のリブ等に当接するように構成すること。
【００３８】
このように構成した場合においても、本実施形態と同様にどちらか一方の取付部２７にリング状支持部２８を付け替えることができる。さらに、嵌合凹部３３に突設部３５を設けた場合には、突設部３５が嵌合凸部２９内のリブに当接することによりリング状支持部２８の移動を規制することができる。
【００３９】
・  本実施形態の浴室用ラックにおいて、例えば中段収容棚１６を省略し、上段及び下段収容棚１１，２１のみで浴室用ラックを構成したり、中段収容棚１６と下段収容棚１１との間に他の収容棚を設けたりする等、少なくとも２段の収容棚を有する浴室用ラックとすること。
【００４０】
このように構成した場合、浴室の広さ、使用者の所望等により収容量、大きさ等を変化させた浴室用ラックを提供することができる。
・  本実施形態の浴室用ラックにおいて、嵌合凹部３３及び嵌合凸部２９の形状を変更すること。例えば、上段連結筒２４を楕円形状のパイプとして構成し、その開口された上面を嵌合凹部３３とするとともに、嵌合凸部２９を上段連結筒２４よりも径の小さな楕円形状のパイプから形成し、上段連結筒２４内に嵌合凸部２９を嵌合すること。
【００４１】
このように構成した場合においても本実施形態と同様にリング状支持部２８を付け替えることができるとともに、嵌合凹部３３及び嵌合凸部２９を楕円形状とした場合には、リング状支持部２８が位置ずれすることを防止する効果も得ることができる。
【００４２】
・  本実施形態の浴室用ラックにおいて、例えば取付部２７を平坦面として形成し、リング状支持部２８に吸盤を取付け、吸盤を平坦面に着脱可能に貼着することによってリング状支持部２８を取付部２７に取付ける等、嵌合凹部３３及び嵌合凸部２９を省略して構成すること。
【００４５】
・  本実施形態の浴室用ラックにおいて、固定板２５及び吸盤２６を省略して構成すること。
・  本実施形態の浴室用ラックにおいて、高さ調節手段１３を省略して構成すること。
【００４６】
・  本実施形態の浴室用ラックにおいて、高さ調節手段１３に代えて各脚部１２に車輪等を設け浴室用ラックを移動可能に構成すること。
このように構成した場合、使用者の所望により容易に設置場所を変更することができる浴室用ラックを提供することができる。
【００４７】
・  本実施形態の浴室用ラックにおいて、取付部２７の位置は上段連結筒２４の上面に限定されるものではなく、例えば上段収容棚２１の周面補強フランジ２１ａの上面両側部を取付部２７としたり、一対の上段連結筒２４の外側面を取付部２７としたり等すること。
【００４８】
・  本実施形態の浴室用ラックにおいて、固定手段は吸盤２６に限定されるものではなく、例えば接合テープ、接着剤、フック等とすること。
さらに、前記実施形態より把握できる技術的思想について以下に記載する。
【００４９】
（１）  前記取付部には嵌合凹部を設けるとともに、リング状支持部には嵌合凸部を設け、前記嵌合凹部には移動規制部を突設し、リング状支持部が取付部に対して移動するとき、嵌合凸部が移動規制部に当接することにより取付部に対するリング状支持部の移動を規制した請求項１に記載の浴室用ラック。
【００５０】
このように構成した場合、リング状支持部の取付部に対する移動を確実に規制することができる。
（２）  前記移動規制部に凸部を設け、その移動規制部に当接する嵌合凸部の当接部と前記凸部とが係合するように構成した（１）に記載の浴室用ラック。
【００５１】
このように構成した場合、係合凸条と係合凹条との係合関係及び凸部と当接部との係合関係の２箇所でリング状支持部の取付部に対する位置決めを行うことができ、リング状支持部を取付部に対してさらに確実に位置決めすることができる。
【００５２】
【発明の効果】
以上詳述したように、この発明によれば、次のような効果を奏する。
請求項１に記載の発明の浴室用ラックによれば、収容棚の両側部に設けられた取付部のいずれか一方にリング状支持部が着脱可能に取付けられている。このため、タオル等を支持することができるリング状支持部を浴室内の構造に応じて使用者が所望の箇所に付け替えることができる。また、嵌合凹部と嵌合凸部の嵌合関係により、ドライバー等の道具を用いることなく浴室用ラックにリング状支持部を容易に取付けることができる。加えて、係合凹条と係合凸条との係合関係によってリング状支持部を取付部に対して確実に位置決めすることができる。
【００５３】
請求項２に記載の発明の浴室用ラックによれば、請求項１に記載の発明の効果に加えて、リング状支持部を取付部に対してさらに確実に位置決めすることができる。
【図面の簡単な説明】
【図１】実施形態の浴室用ラックを示す分解斜視図。
【図２】上段収容棚を示す平面図。
【図３】固定部を示す背面図。
【図４】中段収容棚を示す平面図。
【図５】下段収容棚を示す平面図。
【図６】リング状支持部及び嵌合凸部を示す平面図。
【図７】リング状支持部及び嵌合凸部を示す底面図。
【図８】図６の８−８線における断面図。
【図９】嵌合凸部を嵌合凹部に嵌合した状態を示す断面図。
【図１０】嵌合凸部を嵌合凹部に嵌合した状態を示す部分平面図。
【符号の説明】
１２…支持脚を構成する脚部、１５…支持脚を構成する下部支持脚、２０…支持脚を構成する上部支持脚、２１…上段収容棚、２７…取付部、２８…リング状支持部、２９…嵌合凸部、３２…係合凹条としての凹条、３３…嵌合凹部、３４…係合凸条としての突条。
【図１】
0003609627.tif 000002
【図２】
0003609627.tif 000003
【図３】
0003609627.tif 000004
【図４】
0003609627.tif 000005
【図５】
0003609627.tif 000006
【図６】
0003609627.tif 000007
【図７】
0003609627.tif 000008
【図８】
0003609627.tif 000009
【図９】
0003609627.tif 000010
【図１０】
0003609627.tif 000011